(57)【特許請求の範囲】
【請求項１】
光ファイバコネクタであって：
光ファイバを受けるように構成されるボアを有するボディと；
端面及びクラッド層によって囲まれるコアを有する光ファイバであって、前記クラッド層は前記光ファイバの軸方向範囲の少なくとも一部に関してバッファ層によって囲まれる、光ファイバと；を有し、
前記光ファイバは前記ボア内に配置され；
前記光ファイバコネクタの遠位端部は、光ファイバコネクタタイプを示す所定の光学標識を有する光学標識コンポーネントを含み；
前記ボアの前記軸方向範囲の少なくとも一部に関して、前記バッファ層は、前記クラッド層を欠いている又は前記クラッド層から除去されるとともに、前記一部に関して、前記クラッド層は、前記光学標識コンポーネントを介して前記コアに返される前記クラッド層からの漏出光の量を増やすために、前記クラッド層の屈折率以上の屈折率を有する光学媒質を介して前記光学標識コンポーネントと光学的に接触している、
光ファイバコネクタ。
【請求項２】
前記ボアと同軸に配置されるアライメントスリーブをさらに有する、
請求項１に記載の光ファイバコネクタ。
【請求項３】
前記光ファイバコネクタは軸を有し；前記光ファイバコネクタはさらにアライメントスリーブを有し；前記アライメントスリーブは前記光ファイバコネクタの軸と同軸に配置される、
請求項１に記載の光ファイバコネクタ。
【請求項４】
前記光学標識は、光反射率標識又は光学蛍光標識である、
請求項１乃至３のいずれか１項に記載の光ファイバコネクタ。
【請求項５】
前記光学標識コンポーネントは、ｉ）前記光ファイバの前記端面上に、又はｉｉ）前記光ファイバの前記端面に且つ前記光ファイバの半径方向範囲を超えて、又はｉｉｉ）前記ボアの前記軸方向範囲の少なくとも一部に沿って、配置される、
請求項１乃至４のいずれか１項に記載の光ファイバコネクタ。
【請求項６】
前記光学媒質は、前記ボディの一部である、
請求項１乃至５のいずれか１項に記載の光ファイバコネクタ。
【請求項７】
前記光学標識コンポーネントは、ｉ）前記ボディに分布する反射色素であり且つ前記所定の光学標識は前記色素の光学反射スペクトルである、又はｉｉ）前記ボディに分布する蛍光色素であり且つ前記所定の光学標識は前記蛍光色素の光学発光スペクトルである、
請求項６に記載の光ファイバコネクタ。
【請求項８】
前記光学媒質は、前記光ファイバの前記クラッド層を囲むポリマ層である、
請求項１乃至５のいずれか１項に記載の光ファイバコネクタ。
【請求項９】
前記光学標識コンポーネントは、ｉ）前記ポリマ層に分布する反射色素であり且つ前記所定の光学標識は前記色素の光学反射スペクトルである、又はｉｉ）前記ポリマ層に分布する蛍光色素であり且つ前記所定の光学標識は前記蛍光色素の光学発光スペクトルである、
請求項８に記載の光ファイバコネクタ。
【請求項１０】
前記蛍光色素は、可視波長で光学発光するｕｖ励起蛍光色素である、
請求項７又は９に記載の光ファイバコネクタ。
【請求項１１】
対応する第２の光ファイバコネクタと嵌合する請求項２又は３に記載の第１の光ファイバコネクタを有する光ファイバコネクタアセンブリであって；前記第１の光ファイバコネクタの前記ボディは、相手の光ファイバを受けるように構成される相手のボアを有する前記第２の光ファイバコネクタの相手のボディに対応し；
前記第１の光ファイバコネクタの前記アライメントスリーブは、前記相手のボアと同軸に配置される前記第２の光ファイバコネクタの相手のアライメントスリーブに対応し；
前記第１の光ファイバコネクタの前記光ファイバは、相手の端面及び相手のクラッド層によって囲まれる相手のコアを有する前記第２の光ファイバコネクタの相手の光ファイバに対応し；前記相手のクラッド層は相手のバッファ層によって囲まれ；
前記相手の光ファイバは、前記第２の光ファイバコネクタの前記相手のボアの中に配置され；
少なくとも前記相手の端面において、前記相手の光ファイバの前記相手のバッファ層は、前記相手のクラッド層を囲み；
前記第１の光ファイバコネクタの前記光ファイバの前記コアは、前記第２の光ファイバコネクタの中の前記相手の光ファイバの前記相手のコアと同軸に配置される、
光ファイバコネクタアセンブリ。
【請求項１２】
２以上の請求項１１に記載の光ファイバコネクタアセンブリを有する光ファイバコネクタハウジングであって；全ての前記第１の光ファイバコネクタがプラグハウジング内に保持され、全ての前記第２の光ファイバコネクタがソケットハウジングの中に保持され；前記光ファイバコネクタアセンブリの１つは、コア直径Ｄ１及び開口数ＮＡ１を持つ光ファイバ並びにコア直径Ｄ２及び開口数ＮＡ２を持つ相手の光ファイバを有し；前記第２の及びさらなる光ファイバコネクタアセンブリはそれぞれ、コア直径Ｄ３及び開口数ＮＡ３を持つ光ファイバ並びにコア直径Ｄ４及び開口数ＮＡ４を持つ相手の光ファイバを有し；比（Ｄ１／Ｄ２）又は比（ＮＡ１／ＮＡ２）の少なくとも一方は、１．１を超える又は１．１未満のいずれかであり；比（Ｄ３／Ｄ４）又は比（ＮＡ３／ＮＡ４）の少なくとも一方は、０．９から１．１の範囲内にある、
光ファイバコネクタハウジング。
【請求項１３】
光ファイバの第１の端部において請求項１乃至３のいずれか１項に記載の光ファイバコネクタの存在を確認するための光学装置であって：前記光学装置は：前記光ファイバコネクタ；前記光ファイバの前記第１の端部又は第２の端部いずれかに光を結合するように構成される光源；及び前記光学標識コンポーネントによって反射又は放射される光を受けるように構成される光検出器、を有する、
光学装置。
【請求項１４】
光ファイバコネクタタイプを請求項１乃至３のいずれか１項に記載の光ファイバコネクタに関連付ける方法であって：前記方法は：光学装置の光源で前記光学標識コンポーネントを照射するステップと；前記光学標識コンポーネントによって反射された又は放射された光を受けるステップと；受けた前記光のスペクトル及び強度並びに複数のコネクタタイプと複数の所定のスペクトル標識との間の関係を有するルックアップテーブルに基づいて、前記ルックアップテーブルの中の前記複数の光ファイバコネクタタイプから関連するコネクタタイプの存在を、決定するステップと；を含む、
方法。
【請求項１５】
関連するコネクタタイプを前記光ファイバコネクタに割り当てるステップをさらに含む、
請求項１４に記載の方法。
【発明の詳細な説明】
【技術分野】
【０００１】
光ファイバを相互接続するための光ファイバコネクタに関する。光ファイバコネクタを含む光ファイバコネクタアセンブリ及びハウジングもまた記載される。光ファイバコネクタを製造する方法もまた記載される。本発明は、光コネクタの一般的な分野における応用を見出し、より具体的には、医療分野での分光光度計装置と組織検知光学ニードルを光学的にインタフェース接続することにおける例示的な使用を見出す。
【背景技術】
【０００２】
光ファイバコネクタは、光ファイバを終端するために使用される。光ファイバコネクタ及び相補的光ファイバコネクタは、１つの光ファイバによって伝えられる光が光ファイバ間の光伝送経路を形成するように他の光ファイバに結合し得るように２つの光ファイバを機械的に保持するために使用され得る。多数の光ファイバコネクタのタイプが、特定の目的のために長年にわたって開発されている。良く知られたＦＣタイプ光ファイバコネクタが例えば、５００嵌合（ｍａｔｉｎｇ）サイクルまでの高アライメント精度（ｈｉｇｈ  ａｌｉｇｎｍｅｎｔ  ａｃｃｕｒａｃｙ）を提供するとともに、光ファイバコア間の小さい位置ずれ（ｍｉｓａｌｉｇｎｍｅｎｔ）が著しい光挿入損失（ｏｐｔｉｃａｌ  ｉｎｓｅｒｔｉｏｎ  ｌｏｓｓｅｓ）をもたらす通信分野において応用を見出している。他の、より低コストの光ファイバもまた開発されている。光ファイバコネクタの少なくとも２つのカテゴリが、物理的接触コネクタ及び拡張ビームコネクタを含む。物理的接触コネクタは、物理的な接触に相互接続されることになる２つの光ファイバのコアを持ってくることによって動作するとともに、高いライメント許容値の必要及び連続した嵌合サイクルの後の低下する寿命に様々に悩まされる。特許文献１に開示されるような拡張ビームコネクタは、典型的には、２つのコネクタの間のインタフェースがエアギャップを介して拡張ビーム領域の中で生じるように光ビームを拡張するための２つの光ファイバのそれぞれの面のレンズを含む。拡張ビームは、コネクタの挿入損失の位置ずれの影響を最小にし、エアギャップは、物理的接触コネクタに付随する機械的な摩耗を軽減し、それによって、光ファイバ端面の捕えられたダスト粒子の影響を減少させ、嵌合サイクルの数を向上させる。
特許文献２は、非侵襲的な方法で光ファイバ部品及び光学アセンブリに関する識別情報を得るためのシステムを開示している。所定のスペクトル標識を有する蛍光発光を受けるための試験装置が記載されている。スペクトル標識は、識別情報を提供する。識別情報は、光学通信部品又は光学通信部品を組み込んでいるアセンブリの特性を記述する。
特許文献３は、１つのファイバ光リンクケーブルによる１つの波長バンド内の光信号の同時双方向伝達のための光ファイバカップリング装置を開示している。これは、送信及び受信導光ファイバ並びにファイバ光リンクケーブルを位置合わせするとともに長手方向に分離させるカプラ／コネクタを含む。送信及び受信導光ファイバのコアは位置合わせされ、送信及び受信導光ファイバの端面は、反射した信号が受信信号として検出されず且つ１つの波長バンド内の光データの同時の区別可能な双方向通信を可能にすることを確実にするように、ファイバ光リンクケーブルの端面と平行且つ所定距離に維持される。
【０００３】
しかし、従来の光ファイバコネクタに課される高嵌合サイクル及び低損失の制約は、典型的には、光ファイバコネクタのコストを増加させる。高いコネクタコストは、光ファイバコネクタが使い捨てデバイスの一部を形成するかもしれない医療分野のような応用でのこのようなコネクタの使用を妨げるかもしれない。１つの例示的な応用では、非特許文献１に開示されたいわゆるフォトニックニードル（ｐｈｏｔｏｎｉｃ  ｎｅｅｄｌｅ）が、光を送るとともにニードル先端と接触している組織を分析するためにニードルの先端でスペクトル検知測定を実行するために光ファイバを使用する。滅菌の複雑さのために、ニードルデバイスは典型的には一回の使用の後に処分される。したがって、使い捨て光学デバイス応用での使用のために低コスト光ファイバコネクタに対する必要が生じている。
【０００４】
さらに、多数の光学コンポーネントを光ファイバコネクタに接続する能力は、特定のコネクタ、したがって光学コンポーネントが、光学システムに接続されるかどうかを決定する必要を生みだしている。医療分野におけるフォトニックニードルの特定の例では、承認された光ファイバコネクタ、したがって承認されたフォトニックニードルが、光学測定コンソールに接続されているかどうかを決定する必要がある。このような光学検知デバイスの非承認コネクタとの相互接続は、不正確且つ信頼できない結果をもたらすかもしれない。したがって、承認された光ファイバコネクタが光ファイバの光学経路に接続されているかどうかを確かめる能力の必要が発生している。このようなものはまた、光ファイバの一般的な分野での応用を見出すかもしれない。この問題に対する従来の解決法は、光ファイバシステムが承認されたコネクタタイプとだけ嵌合することができることを確実にする特注のコネクタ形状の開発を含む。
【先行技術文献】
【特許文献】
【０００５】
【特許文献１】ＷＯ  ２００８／０２４６０４  Ａ２
【特許文献２】ＵＳ  ２００６／０４５４０９
【特許文献３】ＵＳ  ４７８３１３７  Ａ
【非特許文献】
【０００６】
【非特許文献１】“Estimation  of  lipid  and  water  concentrations  in  scattering  media  with  diffuse  optical  spectroscopy  from  900  to  1600  nm”,  J.  Biomed.  Opt.  15,  037015  (2010)  by  R.  Nachabe,  B.  H.  W.  Hendriks,  A.  E.  Desjardins,  M.  van  der  Voort,  M.  B.  van  der  Mark,  and  H.  J.  C.  M.  Sterenborg
【発明の概要】
【発明が解決しようとする課題】
【０００７】
本発明の目的は、２つの光ファイバの間で光を結合するために使用され得る光ファイバコネクタを提供することである。本発明の他の目的は、そのアイデンティティ（ｉｄｅｎｔｉｔｙ）が確認されることができるコネクタを提供することである。本発明の他の目的は、そのアイデンティティが、所定の数のコネクタタイプから特定のコネクタタイプであるとして確認されることができるコネクタを提供することである。本発明の他の目的は、向上した光伝達特性を持つ光ファイバコネクタを提供することである。本発明の他の目的は、緩和されたアライメント許容値を持つ光ファイバコネクタを提供することである。本発明の他の目的は、低コスト光ファイバコネクタを提供することである。本発明の他の目的は、対応する光ファイバのアイデンティティの確認を容易にする光ファイバコネクタを提供することである。本発明の他の目的は、光ファイバコネクタのための単純化された製造プロセスの提供を含む。
【課題を解決するための手段】
【０００８】
本発明の１つの態様によれば、光ファイバコネクタは、光ファイバを受けるように構成されるボア（ｂｏｒｅ）を有するボディと、ボアと同軸に配置されるオプションのアライメントスリーブと、端面を有する光ファイバと、を有し、光ファイバは、ボア内に配置され、少なくとも端面において、光ファイバコネクタは、所定の光学標識（ｏｐｔｉｃａｌ  ｓｉｇｎａｔｕｒｅ）を有する光学標識コンポーネントを含む。光学標識コンポーネントは例えば、色素（ｄｙｅ）、蛍光色素、又は所定の反射率を有する反射層であり得る。代替的には、光学標識コンポーネントは、光ファイバの端面上に又は光ファイバの端面に且つ光ファイバの半径方向範囲を超えてのいずれかで配置される反射層であり得る。
【０００９】
所定の光学標識は、コネクタのアイデンティティの光学的問い合わせ（ｏｐｔｉｃａｌ  ｉｎｔｅｒｒｏｇａｔｉｏｎ）を可能にする。有利には、これは、光ファイバコネクタに接続される光ファイバのコアを使用して実行されることができ、したがって、追加の通信回路がない。好ましくは、所定の光学標識は、光ファイバによって定期的に伝えられる光の波長を超えて存在するスペクトル成分を有し、光学標識コンポーネントの間欠ポーリング（ｉｎｔｅｒｍｉｔｔｅｎｔ  ｐｏｌｌｉｎｇ）を可能にし、光学標識コンポーネントが光ファイバによって定期的に伝えられる光の波長と干渉することを防ぐ。
【００１０】
オプションのアライメントスリーブは、光ファイバコネクタの対応する光ファイバコネクタとのアライメントを向上させるように動作する。１つの構成では、光学アライメントスリーブが無い。この構成では、コネクタタイプの確認は、例えば、光源から光学標識コンポーネントに光を伝えるためにボアの中の光ファイバのコアを使用することによって、並びに、それによってコネクタタイプ確認が達成され、及び光源に向かって戻り光を戻して伝えるために、光学標識コンポーネントから戻り光を収集するために同じ光ファイバボアを使用することによって、達成され得る。したがって、コネクタタイプの確認は、それ自身の光ファイバによって１つの光ファイバコネクタのために達成され得る。代替的には、光学標識コンポーネントのこのような問い合わせはまた、光ファイバを、対応する光ファイバに、又は対応する光ファイバコネクタに接続することによって達成されることができ、光ファイバコネクタのアイデンティティは、対応する光ファイバコネクタの光ファイバの光ファイバコアから供給されて送られる光ファイバコネクタの光学標識コンポーネントに光を供給することによって及び対応する光ファイバコネクタの光ファイバの光ファイバコアで光を収集することによって確立される。他の構成では、アライメントスリーブが、ボア内の光ファイバのアライメントを向上させるためにボアと同軸に配置される。他の構成では、光ファイバコネクタは軸を有し、アライメントスリーブが光ファイバコネクタ軸と同軸に配置される。後者の構成は、例えば、コネクタがボアと整列されていない軸を有する光ファイバコネクタのアライメントを、及び例えば、各光ファイバコネクタが１より多い光ファイバ、又は１より多いボアを有する光ファイバコネクタのアライメントを可能にする。アライメントピン、アライメントノッチ又はアライメント溝のような、その他のアライメント機構が代替的に又は追加的に、光ファイバコネクタの対応する光ファイバコネクタとのアライメントを向上させるために使用され得る。
【００１１】
本発明の他の態様が、請求項及び関連する図面に記載される。
【図面の簡単な説明】
【００１２】
【図１Ａ】光ファイバを囲む層である光学標識コンポーネント（５０）を有する本発明による光ファイバコネクタ（１）を示す。
【図１Ｂ】光ファイバの端面に配置される層である光学標識コンポーネント（５１）を有する本発明による光ファイバコネクタ（１）を示す。
【図１Ｃ】光ファイバの端面に且つ光ファイバの半径方向範囲を超えて配置される層である光学標識コンポーネント（５２）を有する本発明による光ファイバコネクタ（１）を示す。
【図２】正のレンズ（ｐｏｓｉｔｉｖｅ  ｌｅｎｓ）（２１１）を有する光ファイバコネクタ（２０１）を示し、光ファイバの端面と正のレンズとの間にギャップ（２１４）がある。
【図３】正のレンズ（３１１）を有する光ファイバコネクタ（３０１）を示し、光ファイバの端面（２０６）及び正のレンズが接触している。
【図４】テーパアライメントスリーブ（４１４）を有する光ファイバコネクタ（４０１）を示す。
【図５】テーパアライメントスリーブ（５１４）及び正のレンズ（５１１）を有する光ファイバコネクタ（５０１）を示し、光ファイバの端面と正のレンズとの間にギャップ（５１４）がある。
【図６】正のレンズ（６１１）を有する光ファイバコネクタ（６０１）を示し、光ファイバ（６０６）の端面及び正のレンズが接触している。
【図７】光ファイバコネクタ（７０１）を示し、ボア（７０３）の軸方向範囲の少なくとも一部（７１５）に対して、バッファ層（７０９）が除去され且つクラッド層（７０８）が光学媒質（７１６）を介してボディ（７０２）と光学的に接触している。
【図８】光ファイバコネクタ（８０１）を示し、ボア（８０３）の軸方向範囲の少なくとも一部（８１５）に対して、バッファ層（８０９）が除去され且つクラッド層（８０８）がボディ（８０２）と光学的に接触している。
【図９】対応する第２の光ファイバコネクタ（９２３）と嵌合する第１の光ファイバコネクタ（９２２）を有する光ファイバコネクタアセンブリ（９３５）を示す。
【図１０】正のレンズ（１０１１）を含む第１の光ファイバコネクタ（１０２２）及び対応する相手の正のレンズ（１０３１）を含む第２の光ファイバコネクタ（１０２３）を有する光ファイバコネクタアセンブリ（１０３５）を示す。
【図１１】光ファイバコネクタアセンブリ（１１３５）を示し、第１の光ファイバコネクタ（１１２２）及び第２の光ファイバコネクタ（１１２３）はそれぞれテーパアライメントスリーブ（１１０４、１１１７）を有し、第１の光ファイバコネクタ（１１２２）のテーパアライメントスリーブ（１１０４）は、第２の光ファイバコネクタ（１１２３）の相手のテーパアライメントスリーブ（１１１７）の内径の中に適合するように構成される外径を有する。
【図１２】２つの光ファイバコネクタアセンブリ（１２３５ａ、１２３５ｂ）を有する光ファイバコネクタハウジング（１２３４）を示す。
【図１３】光ファイバコネクタハウジング（１３３４）を示し、ソケットハウジング（１３３７）の相手の光ファイバ（１３２５ｂ）を囲むボディの少なくとも一部（１３３８）が、相手の光ファイバ（１３２５ｂ）の端面（１３２８）から離れる方向に相手の光ファイバ（１３２５ｂ）の軸に沿って弾性力を提供するためにソケットハウジング（１３３７）に弾性的に結合され、プラグハウジング（１３３６）の中のそれぞれの光ファイバ（１３０５ａ、１３０５ｂ）がプラグハウジング（１３３６）に堅固に機械的に結合される。
【図１４】ＲＦＩＤ（無線周波数識別）集積回路（ＩＣ）を有する光ファイバコネクタプラグハウジング（１４３６）及びＲＦＩＤ読み取り回路を有する光ファイバコネクタソケットハウジング（１４３７）を含む光ファイバコネクタ装置（１４３４）を示す。
【発明を実施するための形態】
【００１３】
光ファイバコネクタの以下の記載は、医療分野におけるその使用に言及する。特定の言及が低コスト使い捨てコネクタ応用におけるその使用になされるが、本発明はまた、一般的な光ファイバ応用分野での光ファイバの相互接続に用途を見出すことがさらに理解されるべきである。
【００１４】
本発明の目的は、２つの光ファイバの間で光を結合するために使用され得る光ファイバコネクタを提供することである。本発明の他の目的は、そのアイデンティティが確認されることができるコネクタを提供することである。本発明の他の目的は、そのアイデンティティが、所定の数のコネクタタイプから特定のコネクタタイプであるとして確認されることができるコネクタを提供することである。本発明の他の目的は、向上した光伝達特性を持つ光ファイバコネクタを提供することである。本発明の他の目的は、緩和されたアライメント許容値を持つ光ファイバコネクタを提供することである。本発明の他の目的は、低コスト光ファイバコネクタを提供することである。本発明の他の目的は、対応する光ファイバのアイデンティティの確認を容易にする光ファイバコネクタを提供することである。本発明の他の目的は、光ファイバコネクタのための単純化された製造プロセスの提供を含む。
【００１５】
本発明の１つの態様によれば、光ファイバコネクタは、光ファイバを受けるように構成されるボアを有するボディと、ボアと同軸に配置されるオプションのアライメントスリーブと、端面を有する光ファイバと、を有し、光ファイバは、ボア内に配置され、少なくとも端面において、光ファイバコネクタは、所定の光学標識を有する光学標識コンポーネントを含む。光学標識コンポーネントは例えば、色素、蛍光色素、又は所定の反射率を有する反射層であり得る。色素は、ポリマ層の中に含まれ得る又は光ファイバの表面に付着され得る。光学標識コンポーネントは、光ファイバの周りの層を形成し得るとともに、例えば、その中に色素が散らされたポリマ層であり得る。任意選択で、光ファイバのバッファ層が、光ファイバの先端に存在し得る、又は代替的に、これが欠け得る。代替的には、光学標識コンポーネントは、光ファイバの端面上に又は光ファイバの端面に且つ光ファイバの半径方向範囲を超えてのいずれかで配置される反射層であり得る。
【００１６】
所定の光学標識は、コネクタのアイデンティティの光学的問い合わせを可能にする。有利には、これは、光ファイバコネクタに接続される光ファイバのコアを使用して実行されることができ、したがって、追加の通信回路がない。光ファイバのコアからの光は、コアから直接、又はその端面で光ファイバから出るコアの外側の迷光（ｓｔｒａｙ  ｌｉｇｈｔ）により、光学標識コンポーネントに達する。幾つかの構成では、光学標識コンポーネントに達する迷光の量は、コネクタが本発明のコネクタと嵌合されるとき、例えば、２つのそのように接続される光ファイバのコアの位置ずれのために、増加する。光学光源及び分光光度計又はスペクトル標識（ｓｐｅｃｔｒａｌ  ｓｉｇｎａｔｕｒｅ）に敏感な光学検出器が、所望の光学問い合わせを実行するために光ファイバコネクタと光通信することができ、このようなコンポーネントは、光ファイバの光路の中に従来見出されている。１つの例では、光学標識コンポーネントは、光ファイバを囲むポリマ層であり、ポリマ層は色素を含む。色素は例えば、光ファイバのコアに沿って通過する光で色素を照らすことによって、そしてその後、光ファイバ及びそれに結合される光学検出器によって色素の後方散乱される、反射される又は蛍光の発光を検出することによって認識され得る反射率を有する着色された色素であり得る。色素は蛍光色素であることができ、この蛍光色素の励起は、蛍光色素のスペクトル放射波長の範囲である所定の光学標識の放射を引き起こす。１つの例では、色素は、紫外線（ｕｖ）照射によって励起されることができ、可視発光波長を有する。このようなものは、光ファイバが可視光波長を定期的に伝えるとき蛍光色素の連続的な励起を防ぐために使用されることができ、ｕｖ光のパルスは、コネクタのアイデンティティを確認するために間欠的に使用され得る。他の例では、色素は、ｕｖ照射によって励起されることができ、赤外線発光波長を有する。他の例では、光ファイバの端面に配置される層が、特定のコネクタタイプの特性であるスペクトル反射率を有する層の形態で端面上に配置される。層は、例えば、所定の反射率特性を有する多層コーティングであり得る。他の例では、所定の光学反射率特性を有するファイバブラッググレーティング（ＦＢＧ）が、光学コネクタの近くで光ファイバの長さに沿って書かれ得る。他の例では、層は、光ファイバの端面位且つ光ファイバの半径方向範囲を超えて配置される。このような層は、したがって、光ファイバの周りに配置されるワッシャの形態を有し得る。層は、光ファイバを囲むボディの一部の上に配置され得る。有利には、ワッシャ構造は、コネクタによって相互接続される２つの光ファイバコアの固有の位置ずれから生じるコネクタにおいて光ファイバのコアを出る迷光による光ファイバの光学的問い合わせを可能にする。その際、コネクタのアイデンティティは、光伝達特性に悪影響を及ぼすかもしれない光ファイバの表面上のこのような層を付着させる必要無しに確認され得る。迷光の量は、２つの光ファイバの端面の間にエアギャップを設けることによって意図的に増やされ得る。望ましくは、スペクトル標識発光波長は、光ファイバによって伝えられる光と重ならないスペクトルバン��を有する。その際、光学コネクタのアイデンティティは、光ファイバによって定期的に伝えられる光の波長と干渉することなしに問い合わせされ得る。
【００１７】
本発明の他の態様によれば、光ファイバコネクタは、アライメントスリーブの中に配置された正のレンズを含む。正のレンズは、光ファイバからの光をコリメートするように動作する。好ましくは、正のレンズの焦点は、光ファイバの端面にある。このようなコリメーション手段は、光学検知用途において有利であり、光ファイバから出てくるビームのコリメーションは、光ファイバによって伝えられる光学ビームの指向性、又はその感度の指向性を向上させる。光ファイバコネクタが、同様にこのような正のレンズを有する第２の光ファイバコネクタと嵌合されるとき、光が、各コネクタの光ファイバのコアの間で伝えられる。２つのコネクタの間の嵌合が、光学ビームの広い点で生じ、それによって２つの光ファイバの間の光結合損失を減少させるので、位置ずれ誤差に対する減少した感度が、このような構成によって達成される。他の配置では、光ファイバの端面は、それぞれの正のレンズを焦点ぼけされる。この構成では、光ファイバコアと正のレンズとの間のより緩和されたアライメント許容値が、より高いコネクタ挿入損失を犠牲にして達成されることができる。
【００１８】
本発明の他の態様によれば、光ファイバの端面と正のレンズとの間にエアギャップがある。このようなエアギャップは有利には、光ファイバコネクタの寸法に影響を及ぼす温度変動の間の性のレンズと光ファイバの間の摩耗を減少させる。このようなエアギャップは、正のレンズの焦点距離を調節するために使用され得る。
【００１９】
本発明の他の態様によれば、正のレンズは、光ファイバの端面と接触している。このような構成は、正のレンズのコリメーションが組み立て中の正のレンズと光ファイバの端面との間のギャップの変動によって影響されないため、より繰返し性のあるコリメーション特性を提供する。
【００２０】
本発明の他の態様によれば、光ファイバの端面及び正のレンズは、光ファイバのコア又は正のレンズのいずれかの屈折率の１０％以内の屈折率を有する光学指数整合材料（ｏｐｔｉｃａｌ  ｉｎｄｅｘ  ｍａｔｃｈｉｎｇ  ｍａｔｅｒｉａｌ）の領域によって離される。光学指数整合材料は、例えば、液体、接着剤又はゲル又は光学グリースであり得る。このような光学指数整合は、コネクタの光結合損失を減少させる。
【００２１】
本発明の他の態様によれば、光学コネクタのアライメントスリーブは、ボアと同軸に光ファイバから離れる方向に光ファイバの端面の軸方向範囲を超えて延びる。このような構成は、光ファイバの端面を保護し、摩耗及び光ファイバコネクタの光学性能に影響を及ぼす可能性のあるくずの収集に対する妨害感受性を減少させる。
【００２２】
本発明の他の態様によれば、光ファイバコネクタは、正のレンズ及び、ボアと同軸に光ファイバから離れる方向に正のレンズの軸方向範囲を超えて延びるアライメントスリーブを含む。このような構成は、正のレンズの最外面を保護し、摩耗及び光ファイバコネクタの光学性能に影響を及ぼす可能性のあるくずの収集に対する妨害感受性を減少させる。
【００２３】
本発明の他の態様によれば、光ファイバコネクタはさらに、止めフランジを含む。止めフランジは、互いに光通信する２つの対応する光ファイバのコアの端面の間の距離を設定するように動作する。したがって、２つの光ファイバの間のより繰返し可能な光伝達特性が達成され得る。
【００２４】
本発明の他の態様によれば、アライメントスリーブはテーパを付けられている。このような構成は、１つの光ファイバコネクタの他の光ファイバコネクタとの嵌合を補助する。
【００２５】
本発明の他の態様によれば、ボアの軸方向範囲の少なくとも一部に対して、バッファ層が除去される。その部分に関して、クラッド層は、クラッド層の屈折率より大きい又は等しい屈折率の実数部を有する光学媒質を介してボディと光学的に接触している；或いは、クラッド層は、ボディと接触し、ボディは、クラッド層の屈折率より大きい又は等しい屈折率の実数部を有する材料から形成される。このような構成は、クラッドモードストリッパ（ｃｌａｄｄｉｎｇ  ｍｏｄｅ  ｓｔｒｉｐｐｅｒ）として動作し、クラッドによって光ファイバの長さに沿って伝えられる光を、コネクタのボディの中に、又は光学媒質の中に漏出させる。２つの嵌合した光ファイバコネクタによって通信している光ファイバのコアのいかなる位置ずれも、クラッド層、又はいわゆるクラッドモードによって伝えられる追加の光をもたらす。２つのこのような光ファイバのコア直径の変動はまた、このようなクラッドモードをもたらす。このようなモードは、それらが不完全に案内されるとき、光ファイバの約１０メートル後で通常減少する。しかし、数メートル以下のオーダーの短い光ファイバ長さが光ファイバコネクタとともに使用されるとき、それらの長さは、クラッドモードが減少するのに不適切である。したがって、光学コネクタを伴い短い光ファイバの使用は、クラッドにおける大出力をもたらすことができる。例えば、光ファイバの先端から光を供給する組織検知光学分光応用では、クラッドモードは、望まれていない、不完全に誘導されている光放射を検知される組織に供給する可能性があり、測定を混乱させる。したがって、光ファイバコネクタの中のクラッドモードストリッパとしてこの構成の使用は、光ファイバの光伝達特性の繰返し性を向上させ、それによって光学分光測定の品質を向上させる。クラッドモードを取り除くのに使用される光学媒質は、例えば、接着層若しくはゲル層若しくは光学グリース層であり得る；及び／又はボディは、ポリイミドから作られ得る；これらの材用は、所望の屈折率基準に適合する。光学媒質又はポリイミドはさらに、０．１から１．０ミクロンの範囲の体積直径を有する複数の散乱中心を含み得る。このような中心の密度は、ｃｍ３当たり１０００を超えてもよく、このような直径及び密度は、光学は兆の散乱に好ましく、それによって、クラッドモードの減衰を向上させる。
【００２６】
ボアの軸方向範囲の少なくとも一部に対するバッファ層の除去の、及びクラッド層の屈折率より大きい又は等しい屈折率を有する光学媒質を介したクラッド層と光学標識コンポーネントとの間の結果として生じる光学接触の更なる効果が、光ファイバクラッドから漏れ出る及び光学標識コンポーネントに達する光の量の増加であると理解されるであろう。クラッドからの光漏出のこの増加は、光学標識コンポーネントによって戻される信号の信号対ノイズ比を向上させる。これは、光学標識コンポーネントの光学的問い合わせの完全性を向上させる。
【００２７】
光ファイバの従来の製造プロセスは典型的には、クラッド層によって囲まれるコアを有する光ファイバを提供し、クラッド層はバッファ層によって囲まれている。本発明によれば、その中に光ファイバが配置されるコネクタボアの軸方向範囲の少なくとも一部に対して、バッファ層は、それが存在しないという意味で、欠けている、又は除去されている、又は中断されている。したがって、光ファイバは、クラッド層によって囲まれるコアを有し、クラッド層は少なくとも部分的に、したがって、光ファイバの軸方向範囲の内部に対して、バッファ層によって囲まれ、その中に光ファイバが配置されるボアの軸方向範囲の少なくとも一部に対して、バッファ層が、除去される、又はかけている、又は中断される。好ましくは、バッファ層は、光ファイバの全周から除去される、又は光ファイバの全周に存在しないが、バッファが光ファイバの周囲の一部から除去される、又は光ファイバの周囲の一部に存在しない場合にも、満足な性能が達成される。バッファは、機械的な剥離用工具、ジクロロメタンのような溶剤、熱い硫酸、又は、例えば、炎の中又はレーザを使用して加熱することによって等、従来の方法を用いて除去され得る。
【００２８】
光ファイバコネクタの前述の態様は、単独で又は任意に選択される組み合わせで、光ファイバコネクタアセンブリに、及び光ファイバコネクタハウジングに使用され得る。
【００２９】
本発明の他の態様によれば、光ファイバコネクタアセンブリが開示され、これは、対応する第２の光ファイバコネクタと嵌合される第１の光ファイバコネクタを有する。このような構成は、２つの光ファイバコネクタの中の光ファイバのコアの間で光を伝えるために使用され得る。これは、例えば、第１の光ファイバコネクタのアライメントスリーブが、第２の光ファイバコネクタの相手のアライメントスリーブの内径に適合するように構成される外径を有するように構成することによって達成されることができ、その逆もそうである。他の嵌合構造もまた可能である。
【００３０】
本発明の他の態様によれば、第１の光ファイバコネクタ及び第２の光ファイバコネクタを有する光ファイバコネクタアセンブリが開示され、第１の光ファイバコネクタの光ファイバはコア直径Ｄ１及び開口数ＮＡ１を有し；第２の光ファイバコネクタのその相手の光ファイバはコア直径Ｄ２及び開口数ＮＡ２を有し；比（Ｄ１／Ｄ２）又は比（ＮＡ１／ＮＡ２）の少なくとも一方が、１．１を超える又は１．１未満のいずれかである。他の構成では、比（Ｄ１／Ｄ２）又は比（ＮＡ１／ＮＡ２）の少なくとも一方は、１．５を超える又は０．５未満のいずれかである。これらの範囲によってカバーされていない光ファイバの開口数に関する従来の仕様は０．３７±０．０２である；この従来の範囲は、光ファイバ間の光学結合損失を減少させるために望ましく最小にされる。コア直径を異ならせた及び／又は開口数を異ならせた光ファイバコネクタアセンブリを有する光ファイバの仕様は、光ファイバのコアのアライメント許容差要件を緩和させる。これはしたがって、コネクタを製造するためのより単純な、より安価なプロセスの仕様を可能にする。例えば、大きいコア直径ファイバからより小さいコア直径ファイバに光ファイバコネクタによって案内される光が、増加した挿入損失を犠牲にして、緩和されたアライメント許容差要件をもたらす。光源出力が十分である光学検知応用では、このような構成は、適切な光が２つの光ファイバコアの間で通信されることを確実にするために使用されることができる。２つの光ファイバ間の光伝達の効率は、光ファイバコネクタアセンブリを使用して狭いコア直径光ファイバから光ファイバコネクタアセンブリを経由してより広いコア直径光ファイバに光を伝達することによって向上され得る。２つの光ファイバのコアの如何なるミスアライメントも、受光光ファイバのより広いコア直径のために実質的に同じサイズを有するコア直径の仕様と比べて、減少した挿入損失をもたらす。光ファイバコネクタアセンブリを使用する１つの予想される光学分光応用では、光は、広いコア光ファイバによって、光ファイバコネクタを経由して、光学検知サイトに、狭いコア光ファイバを経由してニードルの遠位端部に、供給される。検知サイトによって散乱される光は、収集される光を検出器に第２の光ファイバコネクタ及びより広いコア直径光ファイバを経由して送る第２の狭いコア光ファイバを有する別個の光学経路を経由して収集される。第１の光ファイバコネクタの低い挿入損失は、高い光学ソース出力の可用性によって軽減され、一方、検出経路では、低挿入損失が、コアの位置ずれにもかかわらず、狭いから広いコア移行によって提供される。したがって、このような光ファイバコネクタアセンブリでは、光学検知ニードルのボアの中に適合する低コストの狭い直径光ファイバが、低下したアライメント許容差要件を有するより安価なコネクタを備える。
【００３１】
本発明の他の態様によれば、光ファイバコネクタアセンブリ（９３５）が開示され、その中では光通信のために構成された２つの光ファイバの端面が物理的に接触している。このような物理的な接触は、光ファイバコネクタの挿入損失を減少させ、それらの端面の間の分離箇所での挿入損失変動性を除去する。
【００３２】
本発明の他の態様によれば、光ファイバコネクタアセンブリが、２つの嵌合される光ファイバコネクタを有し、それぞれの光ファイバコネクタのアライメントスリーブは半径方向止めフランジを有する。各光ファイバコネクタの半径方向止めフランジ及び止めフランジの軸方向位置、各コネクタのボディ内のボアのそれぞれの軸は、光ファイバ及び相手の光ファイバのコアの端面の相対的な分離を決定する。止めフランジ及び半径方向止めフランジにより端面の相対的な分離を設定することによって、コネクタの正確な光学挿入損失が達成されることができる。
【００３３】
本発明の他の態様によれば、光ファイバコネクタアセンブリが、２つの嵌合される光ファイバコネクタを有し、止めフランジ及び半径方向止めフランジが、２つの光ファイバのコアの端面の間のギャップを残すように構成される。オプションで、ギャップは、コネクタの挿入損失を減らすために、２つの光ファイバの少なくとも一方のコア（９０７、９２４）の屈折率の１０％以内の屈折率を有するゲル層又は光学グリース層で満たされ得る。
【００３４】
本発明の他の態様によれば、光ファイバコネクタアセンブリが、第１の光ファイバコネクタ及び第２の光ファイバコネクタを有し、各光ファイバコネクタはさらに、そのアライメントスリーブの中に正のレンズを含む。それぞれの正のレンズは、光ファイバによって伝えられた光のコリメーションを実行するためにその光ファイバの他面それぞれに配置され得る。有利には、２つの正のレンズの併用効果は、それらの光ファイバのコアの位置ずれによって生じる挿入損失に対する光コネクタの妨害感受性を減少させることである。
【００３５】
本発明の他の態様によれば、光ファイバコネクタアセンブリが、第１の光ファイバコネクタ及び第２の光ファイバコネクタを有し、第１の光ファイバコネクタのアライメントスリーブ及び第２の光ファイバコネクタの対応する相手のアライメントスリーブのそれぞれが、そのボアに直角でありそのボア周りに非回転対称である平面内に断面を有する。このような構成は、第１の光ファイバコネクタ及び第２の光ファイバコネクタが、望ましくない軸方向回転配置で嵌合することを防ぐ。本発明のこの態様は、２以上の光ファイバコネクタアセンブリが、光ファイバコネクタハウジングの中で一緒に組み合わされるときのさらなる応用を見出し、嵌合が、各第１の光ファイバコネクタとその対応する第２の光ファイバコネクタとの間の１つの構成でのみ生じることができることを確実にする。
【００３６】
本発明の他の態様によれば、光ファイバコネクタハウジングが、２以上の光ファイバコネクタアセンブリを有し；全ての第１の光ファイバコネクタは、プラグハウジング内に保持され、全ての第２の光ファイバコネクタは、ソケットハウジングの中に保持される。光ファイバコネクタアセンブリの１つは、コア直径Ｄ１及び開口数ＮＡ１を持つ光ファイバ並びにコア直径Ｄ２及び開口数ＮＡ２を持つ相手の光ファイバを有する。第２の及びさらなる光ファイバコネクタアセンブリはそれぞれ、コア直径Ｄ３及び開口数ＮＡ３を持つ光ファイバ並びにコア直径Ｄ４及び開口数ＮＡ４を持つ相手の光ファイバを有し；比（Ｄ１／Ｄ２）又は比（ＮＡ１／ＮＡ２）の少なくとも一方は、１．１を超える又は１．１未満のいずれかであり；比（Ｄ３／Ｄ４）又は比（ＮＡ３／ＮＡ４）の少なくとも一方は、０．９から１．１の範囲内にある。このような構成は、位置ずれ誤差へのコネクタ内の光ファイバのコアの感度を最小にするのに特に有用であることが見出されている。これは、光学検知ニードルを含む光学分光応用において特に有用であることが見出されている。
【００３７】
本発明の他の態様によれば、光ファイバコネクタハウジングが開示され、ソケットハウジングのそれぞれの相手の光ファイバを囲むボディの少なくとも一部が、光ファイバの端面から離れる方向に相手の光ファイバの軸に沿って弾性力を提供するためにソケットハウジングに弾性的に結合され、プラグハウジングの中の各光ファイバは、プラグハウジングに堅固に機械的に結合されている。弾性結合は、例えば、弾性カップリングとして作用するボディとソケットハウジングとの間に固定される、金属若しくはプラスチックスプリング又は圧縮可能な金属若しくはプラスチックアーム若しくは部材であり得る。弾性結合は、ソケットハウジングの相手の光ファイバコネクタがプラグハウジングの対応する光ファイバコネクタと嵌合されるとき、相手の光ファイバの端面が対応するプラグハウジングの中の光ファイバの対応する端面に対して弾性的に保持されるように、相手の光ファイバの軸に沿った弾性を提供する。弾性結合は、２つの光ファイバのコアの間の光結合を向上させ、それによって、光ファイバボアの軸に沿った光ファイバコネクタの製造公差に対する感度を減少させる。
【００３８】
本発明の他の態様によれば、光ファイバコネクタハウジングが、オス部分及び対応するメス部分を有するアラインメント機構（ａｌｉｇｎｍｅｎｔ  ｆｅａｔｕｒｅ）を有する。アラインメント機構のオス部分は、プラグハウジングの中の第１の光ファイバコネクタのアライメントスリーブに固定可能に取り付けられる突出部であり；アラインメント機構のメス部分は、突出部に対応するとともにソケットハウジングの対応する第２の光ファイバコネクタの相手のアライメントスリーブに固定可能に取り付けられる溝である。オス部分及びメス部分は、２以上の光ファイバコネクタアセンブリが嵌合されるとき、オス部分及びメス部分が一致するように構成される。このようなアライメント機構は、プラグハウジング内の第１の光ファイバコネクタが、ソケットハウジングの中の第２の光ファイバコネクタと１つの配向でのみ嵌合されることができることを確実にする。
【００３９】
本発明の他の態様によれば、光ファイバコネクタアセンブリ又は光ファイバコネクタハウジングはさらに、少なくとも光ファイバ及び相手の光ファイバの相対軸方向位置を一時的に固定するためのロック機構を含み；ロック機構のオス部分が第１の光ファイバコネクタに固定可能に取り付けられ、ロック機構の対応するメス部分が第２の光ファイバコネクタに固定可能に取り付けられ、ロック機構のオス部分及びロック機構のメス部分は、光ファイバ及び相手の光ファイバが嵌合されるとき、ロック状態にあり；ロック機構は、グループ：ネジコネクタ、ツイストロックコネクタ、スナップコネクタ、バヨネットコネクタ、から選択される。
【００４０】
本発明の他の態様によれば、医療用光学分光装置が、光ファイバコネクタ又は光ファイバコネクタアセンブリを含む。このようなものは、一時的に接続される光ファイバの位置ずれ許容差に対する妨害感受性を向上させるために医療用光学分光装置で使用されることができる。光学分光装置は例えば、ニードルの先端で組織に関する光学信号を供給し且つ測定するように構成されるいわゆるフォトニックニードル光学分光装置であり得る。
【００４１】
本発明の他の態様によれば、医療用光学分光装置における光ファイバの使用が開示されている。医療用光学分光装置は例えば、ニードルの先端で組織に関する光学信号を供給し且つ測定するように構成されるいわゆるフォトニックニードル光学分光装置であり得る。
【００４２】
光ファイバコネクタのボディは、例えば、ナイロン、ＨＤＰＥ、ポリスチレン、ポリカーボネート、ポリアミド、ＡＢＳを含む、プラスチックから例えば形成され得る。
【００４３】
光ファイバコネクタのアライメントスリーブは、例えば、ナイロン、ＨＤＰＥ、ポリスチレン、ポリカーボネート、ポリアミド、ＡＢＳを含む、プラスチックから又は金属から例えば形成され得る。
【００４４】
光ファイバコネクタに使用される正のレンズは、図に示されるようなボールレンズであり得る又は代替的に、平凸レンズ、両凸レンズ若しくはフレネルレンズを含む任意の正のレンズが、例えば、ガラス又はポリマから形成され得る。
【００４５】
本発明が次に、それらの特徴の相互依存を示すために列挙された幾つかの例を参照して記載される。
【００４６】
第１の例
１．  光ファイバコネクタ（１）であって：
光ファイバを受けるように構成されるボア（３）を有するボディ（２）と；
ボア（３）と同軸に配置されるアライメントスリーブ（４）と；
端面（６）を有する光ファイバ（５）と；を有し、
光ファイバ（５）は、ボア（３）内に配置され
少なくとも端面（６）において、光ファイバコネクタは、所定の光学標識を有する光学標識コンポーネントを含む、
光ファイバコネクタ（１）。
【００４７】
第２の例
２．  光学標識コンポーネントは、光ファイバを囲むポリマ層であり；ポリマ層は色素を含む、例１による光ファイバコネクタ。
【００４８】
第３の例
３．  色素は蛍光色素であり、所定の光学標識は蛍光色素の光学発光スペクトルである、例２による光ファイバコネクタ。
【００４９】
第４の例
４．  蛍光色素は、可視波長で光学発光するｕｖ励起色素である、例３による光ファイバコネクタ。
【００５０】
第５の例
５．  所定の光学標識は、色素のスペクトル反射率である、例２による光ファイバコネクタ。
【００５１】
第６の例
６．  色素のスペクトル反射率は、１０％より大きい可視スペクトルの少なくとも一部の中のピーク反射率を有する、例２による光ファイバコネクタ。
【００５２】
第７の例
７．  光学標識コンポーネントは、光ファイバの端面上に又は光ファイバの端面に且つ光ファイバの半径方向範囲を超えてのいずれかで配置される反射層であり、所定の光学標識は１０％より大きい可視スペクトルの少なくとも一部の中の反射率である、例１による光ファイバコネクタ。
【００５３】
第８の例
８．  光軸（２１２）を有する正のレンズ（２１１）をさらに有し；
正のレンズ（２１１）は、アライメントスリーブ（２０４）の中に配置され、正のレンズの光軸（２１２）はボア（２０３）の軸（２１３）と同軸に位置合わせされる、
例１による光ファイバコネクタ。
【００５４】
第９の例
９．  光ファイバ（２０５）の端面（２０６）と正のレンズ（２１１）との間にエアギャップ（２１４）がある、例８による光ファイバコネクタ。
【００５５】
第１０の例
１０．  正のレンズ（３１１）は、光ファイバ（３０５）の端面（３０６）と接触している、例８による光ファイバコネクタ。
【００５６】
第１１の例
１１．  光ファイバの端面（６）及び正のレンズ（２１１）は、光ファイバのコア又は正のレンズのいずれかの屈折率の１０％以内の屈折率を有する光学指数整合材料の領域によって離される、例８による光ファイバコネクタ。
【００５７】
第１２の例
１２．  アライメントスリーブ（４）は、ボア（３）と同軸に光ファイバ（５）から離れる方向に光ファイバ（５）の端面の軸方向範囲を超えて延びる、例１による光ファイバコネクタ。
【００５８】
第１３の例
１３．  アライメントスリーブ（２０４、３０４）は、ボア（２０３、３０３）と同軸に光ファイバ（５）から離れる方向に正のレンズ（２１１）の軸方向範囲を超えて延びる、例８による光ファイバコネクタ。
【００５９】
第１４の例
１４．  アライメントスリーブ（４、２０４、３０４）は、光ファイバから最も遠くである遠位端部を有し；アライメントスリーブ（４、２０４、３０４）の遠位端部はさらに、止めフランジ（１４、２１４、３１４）を有し；止めフランジは、ボアと同軸に配置され；止めフランジは、ボアの長手方向軸に対する直角面にある端面を有する、いずれかの前の例による光ファイバコネクタ（１、２０１、３０１）。
【００６０】
第１５の例
１５．  アライメントスリーブ（４１４、５１４、６１４）はテーパを付けられている、いずれかの前の例による光ファイバコネクタ。
【００６１】
第１６の例
１６．  ボアの軸方向範囲の少なくとも一部（７１５、８１５）に対して、バッファ層（７０９、８０９）が除去され；その一部（７１５、８１５）に関して、クラッド層（７０８）は、クラッド層（７０８）の屈折率より大きい又は等しい屈折率の実数部を有する光学媒質（７１６）を介してボディ（７０２）と光学的に接触している；或いは、クラッド層（８０８）は、ボディ（８０２）と接触し、ボディ（８０２）は、クラッド層（８０８）の屈折率より大きい又は等しい屈折率の実数部を有する材料から形成される、いずれかの前の例による光ファイバコネクタ（７０１、８０１）。
【００６２】
第１７の例
１７．  光学媒質（７１６）は、接着層若しくはゲル層若しくは光学グリース層である；及び／又はボディはポリイミドから形成される、例１６による光ファイバコネクタ（７０１、８０１）。
【００６３】
第１８の例
１８．  光学媒質（７１６）又はポリイミドの少なくとも一方はさらに、０．１から１．０ミクロンの範囲の体積直径を有する複数の散乱中心を含む、例１７による光ファイバコネクタ（７０１、８０１）。
【００６４】
第１９の例
１９．  光ファイバコネクタアセンブリ（９３５）であって、例１による対応する第２の光ファイバコネクタ（９２３）と嵌合される例１による第１の光ファイバコネクタ（９２２）を有し；第１の光ファイバコネクタ（９２２）のボディ（９０２）は、相手の光ファイバ（９２５）を受けるように構成される相手のボア（９２０）を有する第２の光ファイバコネクタ（９２３）の相手のボディ（９２７）に対応し；
第１の光ファイバコネクタ（９２２）のアライメントスリーブ（９０４）は、相手のボア（９２０）と同軸に配置される第２の光ファイバコネクタ（９２３）の相手のアライメントスリーブ（９１７）に対応し；
第１の光ファイバコネクタ（９２２）の光ファイバ（９０５）は、相手の端面（９２８）及び相手のクラッド層（９２９）によって囲まれる相手のコア（９２４）を有する第２の光ファイバコネクタ（９２３）の相手の光ファイバ（９２５）に対応し；相手のクラッド層（９２９）は相手のバッファ層（９３０）によって囲まれ；
相手の光ファイバ（９２５）は、第２の光ファイバコネクタ（９２３）の相手のボア（９２０）の中に配置され；
少なくとも相手の端面（９２８）において、相手の光ファイバ（９２５）の相手のバッファ層（９３０）は、相手のクラッド層（９２９）を囲み；
第１の光ファイバコネクタ（９２２）の光ファイバ（９０５）のコア（９０７）は、第２の光ファイバコネクタ（９２３）の中の相手の光ファイバ（９２５）の相手のコア（９２４）と同軸に配置される、
光ファイバコネクタアセンブリ（９３５）。
【００６５】
第２０の例
２０．  
第１の光ファイバコネクタ（９２２）の光ファイバ（９０５）はコア直径Ｄ１及び開口数ＮＡ１を有し；第２の光ファイバコネクタ（９２３）の相手の光ファイバ（９２５）はコア直径Ｄ２及び開口数ＮＡ２を有し；
比（Ｄ１／Ｄ２）又は比（ＮＡ１／ＮＡ２）の少なくとも一方が、１．１を超える又は１．１未満のいずれかである、
例１９による光ファイバコネクタアセンブリ（９３５）。
【００６６】
第２１の例
２１．  第１の光ファイバコネクタ（９２２）の光ファイバ（９０５）の端面（９０６）は、第２の光ファイバコネクタ（９２３）の相手の光ファイバ（９２５）の端面（９２８）と接触している、例１９又は例２０による光ファイバコネクタアセンブリ（９３５）。
【００６７】
第２２の例
２２．  第１の光ファイバコネクタ（９２２）のアライメントスリーブ（９０４）は、そのボア（９０３）の中で光ファイバ（９０５）を超えて且つ光ファイバ（９０５）から離れて延び、さらに止めフランジ（９１４）及び半径方向止めフランジ（９１８）を含み；第１の光ファイバコネクタ（９２２）の止めフランジ（９１４）は、そのボア（９０３）の中で光ファイバ（９０５）から最も離れているそのアライメントスリーブ（９０４）の端面を有し、その止めフランジ（９１４）は第１の光ファイバコネクタ（９２２）のボア（９０３）の長手方向軸に直角である平面にあり；第１の光ファイバコネクタ（９２２）の半径方向止めフランジ（９１８）は、第１の光ファイバコネクタ（９２２）のボア（９０３）と同軸に配置され、この半径方向止めフランジ（９１８）は、第１の光ファイバコネクタ（９２２）のボア（９０３）の長手方向軸と直角でもあり且つ第１の光ファイバコネクタ（９２２）のボア（９０３）と交差もする平面にあり；
第２の光ファイバコネクタ（９２３）の相手のアライメントスリーブ（９１７）は、そのボア（９２０）の中で相手の光ファイバ（９２５）を超えて且つ相手の光ファイバ（９２５）から離れて延び、さらに相手の止めフランジ（９１９）及び相手の半径方向止めフランジ（９２６）を含み；第２の光ファイバコネクタ（９２３）の相手の止めフランジ（９１９）は、そのボア（９２０）の中で相手の光ファイバ（９２５）から最も離れているそのアライメントスリーブ（９１７）の端面を有し、その相手の止めフランジ（９１９）は第２の光ファイバコネクタ（９２３）の相手のボア（９２０）の長手方向軸に直角である平面にあり；第２の光ファイバコネクタ（９２３）の相手の半径方向止めフランジ（９２６）は、第２の光ファイバコネクタ（９２３）の相手のボア（９２０）と同軸に配置され、この相手の半径方向止めフランジ（９２６）は、第２の光ファイバコネクタ（９２３）の相手のボア（９２０）の長手方向軸と直角でもあり且つ第２の光ファイバコネクタ（９２３）の相手のボア（９２０）と交差もする平面にある、
例１９による光ファイバコネクタアセンブリ（９３５）。
【００６８】
第２３の例
２３．  第１の光ファイバコネクタ（９２２）の止めフランジ（９１４）及び半径方向止めフランジ（９１８）の軸方向位置、第２の光ファイバコネクタ（９２３）の相手の止めフランジ（９１９）及び相手の半径方向止めフランジ（９２６）の軸方向位置、第１の光ファイバコネクタ（９２２）の光ファイバ（９０５）及び第２の光ファイバコネクタ（９２３）の相手の光ファイバ（９２５）のコア（９０７）によって共有されるそれぞれの共通の軸は、２つの光ファイバ（９０５、９２５）の相互に対抗する端面（９０６、９２８）の間にギャップ（９２１）を残すように構成される、例２２による光ファイバコネクタアセンブリ（９３５）。
【００６９】
第２４の例
２４．  ギャップ（９２１）は、２つの光ファイバ（９０５、９２５）の少なくとも一方のコア（９０７、９２４）の屈折率の１０％以内の屈折率を有するゲル層又は光学グリース層で満たされる、例２２による光ファイバコネクタアセンブリ。
【００７０】
第２５の例
２５．  第１の光ファイバコネクタ（１０２２）はさらに、そのアライメントスリーブ（１００４）の中に配置される正のレンズ（１０１１）を含み；正のレンズ（１０１１）の光軸（１０１２）は、第１の光ファイバコネクタ（１０２２）のボア（１００３）の軸（１０１３）と同軸に位置合わせされ；
第２の光ファイバコネクタ（１０２３）はさらに、そのアライメントスリーブ（１０１７）の中に配置される相手の正のレンズ（１０３１）を含み；相手の正のレンズ（１０３１）の光軸（１０３２）は、第２の光ファイバコネクタ（１０２３）の相手のボア（１０２０）の軸（１０３３）と同軸に位置合わせされる、
例１９−２２のいずれか１つによる光ファイバコネクタアセンブリ。
【００７１】
第２６の例
２６．  第１の光ファイバコネクタ（９２２、１０２２、１１２２）のアライメントスリーブ（９０４、１００４、１１０４）は、第２の光ファイバコネクタ（９２３、１０２３、１１２３）の相手のアライメントスリーブ（９１７、１０１７、１１１７）の内径の範囲内に適合するように構成される外径を有する、例１９による光ファイバコネクタアセンブリ（９３５、１０３５、１１３５）。
【００７２】
第２７の例
２７．  第１の光ファイバコネクタ（９２２）のアライメントスリーブ（９０４）及び第２の光ファイバコネクタ（９２３）の対応する相手のアライメントスリーブ（９１７）のそれぞれは、そのボア（９０３、９２０）に直角であり、そのボア（９０３、９２０）周りに非回転対称である平面内に断面を有する、例１９による光ファイバコネクタアセンブリ（９３５）。
【００７３】
第２８の例
２８．  光ファイバコネクタハウジング（１２３４、１３３４）であって、例１９による２以上の光ファイバコネクタアセンブリ（１２３５ａ、１２３５ｂ）を有し；全ての第１の光ファイバコネクタ（１２０５ａ、１２０５ｂ）は、プラグハウジング（１２３６）内に保持され、全ての第２の光ファイバコネクタ（１２２５ａ、１２２５ｂ）は、ソケットハウジング（１２３７）の中に保持され；光ファイバコネクタアセンブリの１つ（１２３５ａ）は、コア直径Ｄ１及び開口数ＮＡ１を持つ光ファイバ（１２０５ａ）並びにコア直径Ｄ２及び開口数ＮＡ２を持つ相手の光ファイバ（１２２５ａ）を有し；第２の及びさらなる光ファイバコネクタアセンブリ（１２２２ｂ、１２２３ｂ）はそれぞれ、コア直径Ｄ３及び開口数ＮＡ３を持つ光ファイバ（１２０５ｂ）並びにコア直径Ｄ４及び開口数ＮＡ４を持つ相手の光ファイバ（１２２５ｂ）を有し；比（Ｄ１／Ｄ２）又は比（ＮＡ１／ＮＡ２）の少なくとも一方は、１．１を超える又は１．１未満のいずれかであり；比（Ｄ３／Ｄ４）又は比（ＮＡ３／ＮＡ４）の少なくとも一方は、０．９から１．１の範囲内にある、光ファイバコネクタハウジング（１２３４、１３３４）。
【００７４】
第２９の例
２９．  ソケットハウジングのそれぞれの相手の光ファイバを囲むボディの少なくとも一部（１３３８）が、相手の光ファイバの端面（１３２８）から離れる方向に相手の光ファイバ（１３２５ｂ）の軸に沿って弾性力を提供するためにソケットハウジング（１３３７）に弾性的に結合され（１３３９、１３４０）、プラグハウジングの中の各光ファイバ（１３０５ａ、１３０５ｂ）は、プラグハウジング（１３３６）に堅固に機械的に結合されている、例２８による光ファイバコネクタハウジング（１３３４）。
【００７５】
第３０の例
３０．  さらに、オス部分及び対応するメス部分を有するアラインメント機構を有し；アラインメント機構のオス部分は、プラグハウジングの中の第１の光ファイバコネクタのアライメントスリーブに固定可能に取り付けられる突出部であり；アラインメント機構のメス部分は、突出部に対応するとともにソケットハウジングの対応する第２の光ファイバコネクタの相手のアライメントスリーブに固定可能に取り付けられる溝であり；オス部分及びメス部分は、２以上の光ファイバコネクタアセンブリが嵌合されるとき、オス部分及びメス部分が一致するように構成される、例２８による光ファイバコネクタハウジング（１３３４）。
【００７６】
第３１の例
３１．  さらに、少なくとも光ファイバ及び相手の光ファイバの相対軸方向位置を一時的に固定するためのロック機構を含み；ロック機構のオス部分が第１の光ファイバコネクタに固定可能に取り付けられ、ロック機構の対応するメス部分が第２の光ファイバコネクタに固定可能に取り付けられ；ロック機構のオス部分及びロック機構のメス部分は、光ファイバ及び相手の光ファイバが嵌合されるとき、ロック状態にあり；ロック機構は、グループ：ネジコネクタ、ツイストロックコネクタ、スナップコネクタ、バヨネットコネクタから選択される、例１９−３０のいずれか１つによる光ファイバコネクタアセンブリ又は光ファイバコネクタハウジング。
【００７７】
第３２の例
３２．  例１の光ファイバコネクタ又は例１９の光ファイバコネクタアセンブリを有する、医療用光学分光装置。
【００７８】
第３３の例
３３．  いずれかの前の例の光ファイバコネクタを製造する方法であって：
クラッド層によって囲まれるコアを有し且つこのクラッド層はバッファ層によって囲まれる光ファイバを、光ファイバが両端面を通って延びるように２つの端面によって境界される固定体積を有するボディ型の中に挿入するステップ；
ボディ型の２つの端面の間で光ファイバの長さに沿って軸方向にプラスチックボディをモールディングするステップ；ボディ型の２つの端面の間の光ファイバの少なくとも一部に関して、光ファイバのバッファ層がクラッド層を囲む；
ボディ型の端面を超えて光ファイバを切断する（ｃｌｅａｖｅ）ステップ；
切断された光ファイバの端面を研磨するステップ；
ボディ型から光ファイバを取り除くステップ；
を含む、方法。
【００７９】
第３４の例
３４．  医療用光学分光装置における例１の光ファイバコネクタの使用。
【００８０】
第３５の例
３５．  光ファイバの第１の端部において例１の光ファイバコネクタの存在を確認するための光学装置であって；妥当性確認装置は：例１の光ファイバの第１の端部又は第２の端部のいずれかに光を結合するように構成される光源；及び例１の光学標識コンポーネントによって反射又は放射される光を受けるように構成される光検出器、を有する、装置。
【００８１】
第３６の例
３６．  光源は、例１の光ファイバコネクタのアライメントスリーブと嵌合するように構成される光ファイバコネクタで終端するファイバ結合光源であり；光検出器は、光源に結合される光ファイバによって光学標識コンポーネントから返る光を検出するように構成されるファイバ結合光検出器である、例３５による光学装置。
【００８２】
第３７の例
３７．  光ファイバコネクタタイプを例１の光ファイバコネクタに関連付ける方法であって；方法は：例３５の光学装置の光源を使用して例１の光学標識コンポーネントを照射するステップ；例１の光学標識コンポーネントによって反射された又は放射された光を受けるステップ；受けた光のスペクトル及び強度並びに複数のコネクタタイプと複数の所定のスペクトル標識との間の関係を有するルックアップテーブルに基づいて、ルックアップテーブルの中の複数の光ファイバコネクタタイプから関連するコネクタタイプの存在を、決定するステップ；を含む、方法。
【００８３】
第３８の例
３８．  関連するコネクタタイプを光ファイバコネクタに割り当てるステップをさらに含む、例３７の方法。
【００８４】
第３９の例
３９．  図１４に示された他の例では、光ファイバコネクタ装置（１４３４）は、ＲＦＩＤ（無線周波数識別）集積回路（ＩＣ）を有する光ファイバコネクタプラグハウジング（１４３６）、及びＲＦＩＤ読み取り回路を有する光ファイバコネクタソケットハウジング（１４３７）を含む。読み取り回路は、ＲＦＩＤ読み取り回路によって読まれたデータを電気的に通信するためのコンソールへの電気配線を含み得る。ＲＦＩＤ  ＩＣは、例えば、コネクタタイプのアイデンティティ、及びコネクタに光学的に結合される光学ニードルのような光学コンポーネントの光伝達特性に関連するデータのようなオプションの追加のデータを記憶し得る。
【００８５】
要約すると、光ファイバを相互接続するための光ファイバコネクタが、光を供給する及び医療装置のニードルの先端で光学測定を実行する例示的な応用を参照して開示されている。光ファイバコネクタは、光ファイバコネクタのアイデンティティが確認されることを可能にする所定の光学標識を有する光学標識コンポーネントを含む。アセンブリ及びハウジングへの組み込みを含む、コネクタの様々な態様が、記載されている。
【００８６】
本発明が図面及び上記の説明においてを詳細に図示及び説明されているが、そのような図示及び説明は、説明的又は例示的なものであると見なされるべきものであり、限定的なものと見なされるべきではない；本発明は、開示された実施形態に限定されるものではなく、医療分野の中及びそれを超えた両方の様々な用途で光学的に結合する光ファイバのために使用されることができる。
【図１Ａ】
0006381647.tif 000002
【図１Ｂ】
0006381647.tif 000003
【図１Ｃ】
0006381647.tif 000004
【図２】
0006381647.tif 000005
【図３】
0006381647.tif 000006
【図４】
0006381647.tif 000007
【図５】
0006381647.tif 000008
【図６】
0006381647.tif 000009
【図７】
0006381647.tif 000010
【図８】
0006381647.tif 000011
【図９】
0006381647.tif 000012
【図１０】
0006381647.tif 000013
【図１１】
0006381647.tif 000014
【図１２】
0006381647.tif 000015
【図１３】
0006381647.tif 000016
【図１４】
0006381647.tif 000017